(57)【特許請求の範囲】
【請求項１】
複数のガラス長繊維糸とこれと直交する方向に配列された複数のガラス長繊維糸とで織成されている織物であって、前者のガラス長繊維糸は複数本ずつ近接して配置されて絡み糸で絡み織り状に集束された広幅状集束糸群をなした個所と前記ガラス長繊維糸が存在しない個所とが交互に形成されるように配列されており、後者のガラス長繊維糸は間隔をおいて配列されていることを特徴とする土木用補強シート。
【発明の詳細な説明】
【０００１】
【発明の属する技術分野】
本発明は、港湾、護岸等の工事において防波堤等の基礎に供せられる沈下防止用アスファルトマットの補強用心材や道路用アスファルト舗装用補強材などの土木用補強シートに関するものである。
【０００２】
【従来の技術】
港湾、護岸等の工事において防波堤等の基礎に供せられる沈下防止用アスファルトマットの補強用心材や道路用アスファルト舗装用補強材などの土木用補強シートには、通常、ガラスクロスが使用されているが、従来から要求されている性能に対しては、ガラスクロスの組織も平織、綾織、朱子織あるいは簡単なからみ織で充分に対応することができていた。
しかしながら、更に、高性能のアスファルトマットの補強用心材や道路用アスファルト舗装用補強材などの土木用補強シートが必要とされるに至っており、この補強材としてのガラスクロスも飛躍的に強度増加が要望され、今までのガラスクロスの延長線上の対応では対応不可能となってきている。
【０００３】
【発明が解決しようとする課題】
本発明は、かかる現状に鑑み、アスファルトまたは樹脂を含浸しても必要とされる開口度を維持したままで、しかも高強度を有する土木用補強シートの提供を目的とするものである。
【０００４】
【課題を解決するための手段】
本発明の土木用補強シートは、複数のガラス長繊維糸とこれと直交する方向に配列された複数のガラス長繊維糸とで織成されている織物であって、前者のガラス長繊維糸は複数本ずつ近接して配置されて絡み糸で絡み織り状に集束された広幅状集束糸群をなした個所と前記ガラス長繊維糸が存在しない個所とが交互に形成されるように配列されており、後者のガラス長繊維糸は間隔をおいて配列されていることを特徴とするものである。
【０００５】
【発明の実施の形態】
以下、本発明について詳細に説明する。
【０００６】
図１，図２において、１は土木用補強シートであり、複数のガラス長繊維糸２，…とこれと直交する方向に配列された複数のガラス長繊維糸３，…とで格子状に織成されている織物である。
【０００７】
本発明に使用するガラス長繊維は、３〜２５μｍの繊維直径のガラス繊維からなるものが望ましく、２００〜２００００本のガラス繊維からなることが望ましい。撚数は、０〜１．０回／２５mmであることが望ましい。これにより厚み３mm以下にすることが可能である。
【０００８】
土木用補強シート１を形成する前者のガラス長繊維糸２，…は、複数本ずつ近接して配置されて絡み糸４で絡み織り状に集束された広幅状集束糸群をなした個所５と前記ガラス長繊維糸が存在しない個所６とが交互に形成されるように配列されており、後者のガラス長繊維糸３，…は約０．５〜３cm程度の一定間隔で間隔をおいて配列されている。
【０００９】
広幅状集束糸群をなした個所５の幅は、２５〜６０mmとすることが望ましく、幅間隔は２５mm以上とすることが望ましい。広幅状集束糸群の強度は、５００〜２０００kg／２５mmとすることが望ましい。
【００１０】
ガラス長繊維糸２，…の広幅状集束糸群をなした個所５は、絡み糸４で絡み織り状に集束されているため、分離することなく、格子状を安定に保持することができ、アスファルトの注入を容易にして高強度の土木用補強シートとすることができる。
【００１１】
本発明の絡み糸４による絡み織りは、各種の絡み織りとすることが可能であって、一つの広幅状集束糸群をなした個所５に対して１本の絡み糸で行ってもよく、また２本以上の絡み糸で行ってもよい。
【００１２】
１本の絡み糸を用いる場合には、通常、一つの広幅状集束糸群をなした個所５の両端まで絡むようにして、集束するが、２本の絡み糸を用いる場合には、２本の絡み糸が互いに一つの広幅状集束糸群をなした個所５の両端で他のガラス長繊維糸３と係合したのち、それぞれ異なる方向に進行し、中央で交差し、また異なる方向の両端にて他のガラス長繊維糸３と係合することが望ましい。
この場合の他のガラス長繊維糸３との係合は、複数本おきに行うことが糸切れ防止上望ましい。
【００１３】
２本以上の絡み糸を用いる場合には、以上の場合のほか、一つの広幅状集束糸群をなした個所５の各両端縁部のみをそれぞれ１本ずつの絡み糸４で絡ませて集束させるようにしても良い。
【００１４】
本発明の絡み糸４による絡み織りは、上記の各種の絡み織りを組み合わせてもよく、また絡み糸４はガラス長繊維を使用するほか熱融着性繊維を使用して熱融着するようにしてもよい。
【００１５】
本発明の土木用補強シートは、ガラス長繊維糸３…が間隔をおいて配列されており、その間隔をおいた隙間部分ではガラス長繊維糸２，…があるだけなので、非常に曲げやすいので、ロール状に簡易に巻くことができ、運搬や貯蔵の際にはロール状に巻いておき、使用時に必要な面積だけ引き出して切断して用いることが可能となる。
【００１６】
本発明の土木用補強シートは、上述のように、開口度を維持し飛躍的な強度増加を必要とされるところから、ガラスロービングヤーンを使用し、束織の技術により必要な開口度を作成し、後加工により、この開口度が変化しないように従来なかった技法により経糸の束全体を細いガラスヤーンによりからみ織物としたものである。
【００１７】
本発明の土木用補強シートは、このままで使用することができるが、さらにＳＢＲ等の樹脂やアスファルトを含浸、塗布させることにより目止めをして使用することができる。これにより強度が増すとともに、アスファルトの付着性が向上し、さらに使用時に一部が切断してもその切断個所がほつれてくることはない。
【００１８】
本発明の土木用補強シートは、溶融アスファルトを注入した型枠内に、土木用補強シート２枚をガラス長繊維糸２，…とガラス長繊維糸３，…を相互に直交するように配置し、上方から溶融アスファルトを注入することにより、縦横の両方向における充分な強度を得ることができる。上方から注入した溶融アスファルトは、ガラス長繊維糸２，…と、ガラス長繊維糸３，…との間隙を通過して下方の溶融アスファルトと一体となり、土木用補強シートはアスファルト内に強固に固定されることとなる。
【００１９】
本発明の土木用補強シートは、ガラス繊維を使用しているので、優れた強度を有するとともに、運搬、収納時、アスファルトマットの製造時においても開口度を維持しているので、高強度のアスファルトマットを製造することを可能とするものである。
【００２０】
本発明の土木用補強シートは、次のようにして使用することができる。
一例としては、路床、路盤層の上に、アスファルト基層を舗設し、タックコートを散布した上に、本発明の土木用補強シートを敷きならべ、アスファルト表層を舗設することにより、引張強度を補強した舗装体を形成することができる。
他の例としては、まず、基盤整備を行い、型枠を設置し、下層アスファルトマスチックを１６０〜２００℃で打設し、その上に吊り上げ用脱脂ワイヤーを置き、その上に本発明の土木用補強シート２枚を両縦糸が直交するように敷きならべ、その上に上層アスファルトマスチックを打設することにより、洗堀防止用アスファルトマットを製作することができる。
【００２１】
【発明の効果】
本発明によれば、アスファルトまたは樹脂を含浸しても必要とされる開口度を維持したままで、しかも高強度を有する土木用補強シートの提供を可能とするものである。
【図面の簡単な説明】
【図１】本発明の土木用補強シートの一例を示す平面図である。
【図２】本発明の土木用補強シートの他の例の拡大平面図である。
【符号の説明】
１  土木用補強シート
２，…ガラス長繊維糸
３，…ガラス長繊維糸
４  絡み糸
５  広幅状集束糸群をなした個所
６  ガラス長繊維糸が存在しない個所
【図１】
0004057131.tif 000002
【図２】
0004057131.tif 000003